(57)【要約】【課題】内容物を容器内に注入する際の作業性に優れると共に、内容物の吐出量を容易に調整することができる、注出具を提供する。【解決手段】外筒部１７と、該外筒部１７の内側に形成され該外筒部１７との間に第１凹部１６を有する注出筒１４と、該注出筒１４の内側に形成され該注出筒１４との間に第２凹部１３を有する突出ノズル部１１とを有している。外筒部１７と注出筒１４と突出ノズル部１１とは、底壁部１９を介して連結されている。突出ノズル部１１は、該突出ノズル部１１を高さ方向に貫通する内側注出孔１０を有している。注出筒１４は、外筒部１７の上縁部１７ｃより突出した突出部分を有し、突出ノズル部１１の内側注出孔１０の先端開口部１０ａは、注出筒１４の突出部分の上縁部より低い位置にある。【選択図】図２
2018188175.tif 000002
【特許請求の範囲】
【請求項１】
内容物を収容する容器本体に固定されて内容物の注出に使用される注出具であって、
外筒部と、該外筒部の内側に形成され該外筒部との間に第１凹部を有する注出筒と、該注出筒の内側に形成され該注出筒との間に第２凹部を有する突出ノズル部とを有し、前記外筒部と前記注出筒と前記突出ノズル部とが、底壁部を介して連結されており、
前記突出ノズル部が、該突出ノズル部を高さ方向に貫通する内側注出孔を有しており、
前記注出筒は、前記外筒部の上縁部より突出した突出部分を有し、
前記突出ノズル部の前記内側注出孔の先端開口部は、前記注出筒の前記突出部分の上縁部より低い位置にある、注出具。
【請求項２】
前記注出筒は、前記突出部分の高さが、前記外筒部の外径の１／２より短い、請求項１に記載の注出具。
【請求項３】
前記注出筒の外径は、前記外筒部の外径の１／２以上である、請求項１又は２に記載の注出具。
【請求項４】
前記突出ノズル部は、その周方向の一部に、該突出ノズル部の高さ方向に沿う離間部を有している、請求項１〜３の何れか１項に記載の注出具。
【請求項５】
前記突出ノズル部は、前記内側注出孔から注出される内容物の流量又は流速を減少させる手段を有している、請求項１〜４の何れか１項に記載の注出具。
【請求項６】
前記突出ノズル部は、前記内容物が、前記内側注出孔の中心軸方向に沿う方向とは異なる方向に流れる部分を有している、請求項５に記載の注出具。
【請求項７】
前記内側注出孔の高さ方向に直交する断面の面積が、前記容器本体側の開口部側から前記先端開口部側に向かって減少している、請求項５又は６に記載の注出具。
【請求項８】
前記突出ノズル部は、前記内側注出孔の近傍に、該突出ノズル部の高さ方向とは異なる方向に向かって開口するポケット部を有している、請求項５又は６に記載の注出具。
【請求項９】
前記注出筒は、前記突出ノズル部と対向する面に、該注出筒の高さ方向に沿った流路幅制御用のリブを有している、請求項１〜８の何れか１項に記載の注出具。
【請求項１０】
前記注出具に脱着自在に固定可能な計量キャップを備えている、請求項１〜９の何れか１項に記載の注出具。
【請求項１１】
請求項１〜１０の何れか１項に記載の注出具を備えている、容器。
【発明の詳細な説明】
【技術分野】
【０００１】
本発明は、注出具に関する。
【背景技術】
【０００２】
液体洗剤等の内容物を収容する容器には、ノズル部を備える注出具を口頸部に取り付けたものがあり、該容器に内容物を詰め替えたり補充したりすることで、該容器を繰り返し使用可能にしている。このような容器に取り付けられる注出具として、側面にスリット（開放部）が形成された筒状のノズルを有するものが知られている。例えば特許文献１には、注出具として、側面に開放部を有する筒状のノズルと、該ノズルの内壁面に液流路幅を制御する一対のガイド壁と、内容物の注出及び空気置換をするための開口部を有する傾斜平面底部とを備えているノズル部材が記載されている。
【０００３】
また、特許文献２には、注出具として、側面にスリットが形成された筒状ノズルと、該ノズルの基部の内方向を塞ぐように形成され、且つ開口部を有する内側傾斜底部と、前記ノズルの内壁面に設けられた液流幅を制御する一対のガイド壁とを備えているノズル部材が記載されている。
特許文献１及び２に記載のノズル部材によれば、内容物が詰め替えられる被詰替え容器に内容物を詰め替える際に、内容物の流出液量の調整が自在で、内容物の詰め替え作業性に優れるとしている。
【先行技術文献】
【特許文献】
【０００４】
【特許文献１】特開２０１０−７０２０３号公報
【特許文献２】特開２００９−２９８４３６号公報
【０００５】
しかし、特許文献１及び２に記載の筒状のノズルを備えるノズル部材は、作業者によっては心理的に詰め替えにくく感じることがあり、内容物を詰め替える際の作業性に改善の余地がある。
【発明の概要】
【発明が解決しようとする課題】
【０００６】
本発明の課題は、従来技術が有する解決課題を解決し得る注出具を提供することにある。
【課題を解決するための手段】
【０００７】
本発明は、内容物を収容する容器本体に固定されて内容物の注出に使用される注出具であって、外筒部と、該外筒部の内側に形成され該外筒部との間に第１凹部を有する注出筒と、該注出筒の内側に形成され該注出筒との間に第２凹部を有する突出ノズル部とを有し、前記外筒部と前記注出筒と前記突出ノズル部とが、底壁部を介して連結されており、前記突出ノズル部が、該突出ノズル部を高さ方向に貫通する内側注出孔を有しており、前記注出筒は、前記外筒部の上縁部より突出した突出部分を有し、前記突出ノズル部の前記内側注出孔の先端開口部は、前記注出筒の前記突出部分の上縁部より低い位置にある、注出具を提供するものである。
【０００８】
また、本発明は、前記注出具を備えている、容器を提供するものである。
【発明の効果】
【０００９】
本発明の注出具及び容器によれば、内容物を容器内に注入する際の作業性に優れると共に、内容物の吐出量を容易に調整することができる。
【図面の簡単な説明】
【００１０】
【図１】図１は、本発明の第１実施形態に係る注出具を、計量キャップと共に示す斜視図である。
【図２】図２は、図１に示す注出具を上から見た平面図である。
【図３】図３は、図２のＡ−Ａ線に沿った断面図である。
【図４】図４は、図１に示す注出具の側面図である。
【図５】図５（ａ）は、本発明の第１実施形態に係る突出ノズル部の斜視図であり、図５（ｂ）は、図５（ａ）に示す突出ノズル部を用いて内容物を注出した際の内容物の流れを示す図であり、図５（ｃ）は図５（ａ）のＣ−Ｃ線断面図である。
【図６】図６は、図２のＢ−Ｂ線に沿った端面図である。
【図７】図７は、本発明の第２実施形態に係る注出具を示す斜視図である。
【図８】図８（ａ）は、本発明の第２実施形態に係る突出ノズル部の斜視図であり、図８（ｂ）は、図８（ａ）に示す突出ノズル部を用いて内容物を注出した際の内容物の流れを示す図である。
【図９】図９は、本発明の注出具と共に用いることができる計量キャップの形態を示す図である。
【発明を実施するための形態】
【００１１】
以下、本発明の注出具をその好ましい実施形態に基づき図面を参照して説明する。図１には、本発明の注出具の第１実施形態に係る注出具１Ａが示されている。また、図１には、本発明に係る容器である、前記注出具１Ａを備える被詰替え容器３が示されている。被詰替え容器３は、内容物を使い切ったり、内容物が不足したりした場合に、他の容器（詰替えパウチ容器等の詰替え容器）から内容物を注入することで、繰り返し使用する容器である。詰替え容器として、例えば、内容物を注出するノズル部を備えたスタンディングパウチ等が挙げられる。
本実施形態に係る注出具１Ａは、内容物を収容する容器本体３１に固定されて内容物の注出に使用される。注出具１Ａは、図１に示すように、被詰替え容器３の容器本体３１の口首部３１ａに、計量キャップ４と共に固定して用いられる。この被詰替え容器３として、例えば液体洗剤等を内容物として収容したボトル形状の容器が挙げられる。
【００１２】
本実施形態の注出具１Ａは、図２及び図３に示すように、外筒部１７と、該外筒部１７の内側に形成され該外筒部１７との間に第１凹部１６を有する注出筒１４と、該注出筒１４の内側に形成され該注出筒１４との間に第２凹部１３を有する突出ノズル部１１とを有している。突出ノズル部１１は、図３に示すように、該突出ノズル部１１を高さ方向に貫通する内側注出孔１０を有している。本明細書において外筒部１７、注出筒１４及び突出ノズル部１１に関し、「高さ方向」とは、注出具１Ａを容器本体３１に取り付けて、該注出具１Ａの容器本体３１側とは反対側を鉛直上側に向け、且つ突出ノズル部１１の中心軸を鉛直方向と平行にした状態において、該鉛直方向と平行な方向である。また、「上方」とは、前記鉛直方向の上方である。
外筒部１７、注出筒１４及び突出ノズル部１１は、図３に示すように、底壁部１９から上方に向かって突出しているが、前記「高さ方向」は、外筒部１７、注出筒１４及び突出ノズル部１１の突出方向と一致している。
【００１３】
注出具１Ａの外周部分には、図３及び図４に示すように、容器本体３１の口首部３１ａの外周部分に係着される係着スカート部１８が配設されている。係着スカート部１８は、上端部に肩板部１８ａを備える扁平な略円筒形状を有しており、その内周面には、図３に示すように、係着凹凸部１８ｂが形成されている。注出具１Ａは、容器本体３１の口首部３１ａに上方から押し込まれ、係着凹凸部１８ｂを容器本体３１の口首部３１ａの基端部に設けられた被係着凹凸部に係着させることで、容器本体３１の口首部３１ａに一体として装着固定される。外筒部１７は、注出具１Ａの平面視において略円形の形状をなしている。係着スカート部１８の肩板部１８ａから上方に突出して設けられている。外筒部１７の外周面には、図３に示すように、雄ネジ突条１７ｄが形成されており、該雄ネジ突条１７ｄを介して、注出具１Ａに計量キャップ４が着脱可能に装着される。
【００１４】
注出具１Ａにおいて外筒部１７は、図１及び図２に示すように、略円筒形状を有している。外筒部１７は、図４に示すように、係着スカート部１８の肩板部１８ａの内周縁部から下方に延設された、容器本体３１の口首部３１ａの内周面に沿う部分（以下、下方部１７ｂともいう）と、該肩板部１８ａの内周縁部から上方に延設された部分（以下、上方部１７ａともいう）とを有している。外筒部１７の下方部１７ｂは、注出具１Ａが容器本体３１に装着された際に、口首部３１ａの内周面に沿って配置される。外筒部１７は、その下端部が底壁部１９と連設されている。外筒部１７の他に、後述する注出筒１４及び突出ノズル部１１も該底壁部１９と連設されている。即ち、外筒部１７と注出筒１４と突出ノズル部１１とは、底壁部１９を介して連結されている。
【００１５】
注出筒１４は、図３に示すように、外筒部１７の内側に、該外筒部１７との間に空間１６を有するように、底壁部１９に立設されている。また、注出筒１４は、底壁部１９から容器本体３１とは反対側の方向に突出した略円筒形状を有しており、その容器本体３１とは反対側の端部（上端）に斜めの切り口を有している。注出筒１４は、底壁部１９から最も突出した先端部１４ｃを有している。注出筒１４と外筒部１７との間の空間は凹状であり、底壁部１９が該空間の底部を形成している。この注出筒１４と外筒部１７との間の空間を第１凹部１６ともいう。また、注出筒１４は、底壁部１９から外筒部１７の上端開口面よりも上方に突出するように設けられている。計量キャップ４を注出具１Ａに固定する際、外筒部１７と注出筒１４との間の第１凹部１６には計量キャップ４の後述する筒部４１が挿入配置される。
また、注出筒１４は、図４に示すように、外筒部１７の上縁部１７ｃより突出した突出部分１４ａを有している。
外筒部１７が、本実施形態の上方側の端部に斜めの切り口を有する注出筒１４のように、その上縁部１７ｃにおいて高さ位置が異なる部分を有する場合、注出筒１４は、外筒部１７の上縁部１７ｃの内、最も低い位置にある部分よりも突出する部分を有していれば良い。注出筒１４は、外筒部１７の上縁部１７ｃにおいて最も高い位置から最も低い位置までの高さの１／２の高さよりも、突出する部分を有していることが好ましく、該上縁部１７ｃの内、最も高い位置にある部分よりも突出する部分を有していることがより好ましい。
【００１６】
突出ノズル部１１は、図３に示すように、注出筒１４の内側に、該注出筒１４との間に空間１３を有するように、底壁部１９に立設されている。また、突出ノズル部１１は、底壁部１９から上向きに突出している。即ち、突出ノズル部１１、前述の注出筒１４及び外筒部１７は、底壁部１９と一体となって設けられている。突出ノズル部１１と注出筒１４との間の空間１３は凹状であり、底壁部１９が該空間１３の底部を形成している。この突出ノズル部１１と注出筒１４との間の空間を第２凹部１３ともいう。
【００１７】
突出ノズル部１１は、図３に示すように、該突出ノズル部１１の高さ方向に貫通する内側注出孔１０を有している。本実施形態において、突出ノズル部１１は、容器本体３１側から順に大径の胴部１１ｅ、肩部１１ａ、及び小径の首部１１ｆを有している。突出ノズル部１１には、周方向の一部が断面扇形に切り欠かれていることによって、離間部２３ｂが形成されている〔図５（ｃ）参照〕。離間部２３ｂは、胴部１１ｅ、首部１１ｆに亘って形成されている。肩部１１ａは、図５（ａ）に示すように、先端開口部１０ａを有する首部１１ｆの下端から外方に向かって張り出している。首部１１ｆは、肩部１１ａから上方に突出している。突出ノズル部１１は、高さ方向における容器本体３１側の反対側の端部に先端開口部１０ａを有している。先端開口部１０ａが高さ方向に対して傾斜している場合は、先端開口部１０ａの周縁において、高さ方向の最も上方に位置する部分が、突出ノズル部１１の先端部１１ｂである。内側注出孔１０は、上方側の開口部である先端開口部１０ａと、下方側、即ち容器本体側の開口部である本体側開口部１０ｂとを有している（図３参照）。
突出ノズル部１１の内側注出孔１０の先端開口部１０ａは、図３に示すように、注出筒１４の突出部分１４ａの上縁部１４ｂより低い位置にある。前記先端開口部１０ａは、先端開口部１０ａの周縁において、高さ方向の最も上方に位置する部分（本実施形態では先端部１１ｂ）が、注出筒１４の突出部分１４ａの上縁部１４ｂの内、最も上方に位置する先端部１４ｃよりも低い位置にあれば良い。本実施形態の注出筒１４は、前述した通り、上方側の端部に斜めの切り口を有しているところ、その上縁部１４ｂは、最も上方に位置する先端部１４ｃと、最も下方に位置する下端部１４ｄとを有している。突出ノズル部１１の先端開口部１０ａは、その周縁において、高さ方向の最も上方に位置する部分が、注出筒１４の突出部分１４ａにおける中間高さ、即ち注出筒１４の先端部１４ｃから外筒部１７の上縁部１７ｃまでの高さの１／２の高さよりも低い位置にあることが好ましく、注出筒１４の上縁部１４ｂの内、最も下方に位置する下端部１４ｄよりも低い位置にあることがより好ましい。
内側注出孔１０は、被詰替え容器３内に連通しており、該内側注出孔１０を介して、内容物の注入又は注出が行われる。
【００１８】
本実施形態では、被詰替え容器３内の内容物を使い切ったり、内容物が少なくなったりした場合、詰替え容器から該被詰替え容器３に内容物を注入して補充することができる。詰替え容器として、例えば液体洗剤等を収容したパウチや薄肉容器等が挙げられる。また、計量キャップ４に、必要量よりも多く内容物を採取してしまった場合、余分な量の内容物を容器本体３１内に戻す、液戻しを行う場合がある。注出具１Ａは、該注出具１Ａを容器本体３１から取り外すことなく、内容物を被詰替え容器３に補充したり、戻したりする注入作業を行うことができる。
本発明の注出具は、前述したように、注出筒１４の内側に突出ノズル部１１が形成されており、注出筒１４の突出部分１４ａの上縁部１４ｂより低い位置にある突出ノズル部１１の内側注出孔１０から内容物を注入することができる。斯かる構成により、突出ノズル部１１よりも高さが高く、広口の注出筒１４に向かって内容物を注入することができるため、注出具１Ａを介して内容物を容器本体３１内に注入する注入作業を容易に行うことができ、作業性に優れる。また、注出筒１４が広口であるため、内容物を注出具１Ａの外にこぼすことなく、安定して注入作業を行うことができる。
【００１９】
本実施形態では、容器本体３１を傾かせて、該容器本体３１に収容された液体洗剤等の内容物を注出させる。内容物が液体洗剤である場合、通常、該内容物を注出具１Ａの突出ノズル部１１から計量キャップ４へ注出して計量した後に、別の場所（洗濯機等）に排出される。内容物を計量キャップ４等に注出させる際、内容物は、主に内側注出孔１０を通じて突出ノズル部１１の先端部１１ｂに向かって吐出される〔図５（ｂ）中の流れＦ１〕。そして、先端部１１ｂから流れた内容物は、突出ノズル部１１よりも高さの高い注出筒１４の内周面を伝って、該注出筒１４の先端部１４ｃへ流れ、注出具１Ａ外へ注出される。
広口の注出筒１４のみを介して内容物を注出させると、多量の内容物が一気に吐出してしまう虞があるが、本発明の注出具１Ａは、注出筒１４よりも狭口の突出ノズル部１１を介して内容物を注出させるため、多量の内容物が一気に吐出されることを抑制することができる。内側注出孔１０から吐出された内容物は、注出具１Ａ外へ注出されるまでに、注出筒１４と外筒部１７との間にある空間（第１凹部）、及び注出筒１４と突出ノズル部１１との間にある空間（第２凹部）にも回り込むため、これら空間が内容物の流れの迂回経路として機能する。これにより、多量の内容物が一気に吐出されることを抑制することができる。
本発明の注出具１は、前述の突出ノズル部１１、注出筒１４及び外筒部１７を有するため、注出筒１４のみを介して注出される場合よりも、流路を絞った状態で内容物を注出させることができ、内容物の吐出量を容易に調整することができる。さらに、突出ノズル部１１よりも高さが高く、広口の注出筒１４を介して注出されるため、液だれが生じにくい。
【００２０】
上記の注入作業の作業性を向上させる観点から、注出筒１４の外径Ｄ１４（図２参照）は、突出ノズル部１１の外径Ｄ１１（図２参照）に対して、好ましくは１００％以上、より好ましくは１１０％以上であり、また好ましくは２００％以下、より好ましくは１７０％以下であり、また好ましくは１００％以上２００％以下、より好ましくは１１０％以上１７０％以下である。また、注出筒１４の外径Ｄ１４は、外筒部１７の外径Ｄ１７（図２参照）に対して、好ましくは５０％以上、より好ましくは６０％以上であり、また好ましくは１００％以下、より好ましくは９０％以下であり、また好ましくは５０％以上１００％以下、より好ましくは６０％以上９０％以下である。尚、注出筒１４の外径Ｄ１４は、注出筒１４を上から見た平面視において、注出筒１４の外縁に両端を有する直線のうち、最も長い直線の長さを指す。突出ノズル部１１の外径Ｄ１１は、突出ノズル部１１を上から見た平面視において、突出ノズル部１１の外縁に両端を有する直線のうち、最も長い直線の長さを指す。
同様の観点から、注出筒１４の外径Ｄ１４（図２参照）は、好ましくは１０ｍｍ以上、より好ましくは１５ｍｍ以上であり、また好ましくは４０ｍｍ以下、より好ましくは３５ｍｍ以下であり、また好ましくは１０ｍｍ以上４０ｍｍ以下、より好ましくは１５ｍｍ以上３５ｍｍ以下である。
【００２１】
本実施形態の注出筒１４は、図２に示すように、その側面、即ちその周方向の一部に、該注出筒１４の高さ方向に沿う離間部２３ａが形成されている。注出筒１４は、高さ方向と垂直な面に沿った断面形状がＵ字又は略Ｕ形状をなしている。突出ノズル部１１も、その側面、即ちその周方向の一部に、該突出ノズル部１１の高さ方向に沿う離間部２３ｂが形成されている。
また、突出ノズル部１１の離間部２３ｂは、内側注出孔１０と連続している。以下、注出筒１４の離間部２３ａを第１離間部２３ａ、突出ノズル部１１の離間部２３ｂを第２離間部２３ｂともいう。また、第１離間部２３ａ及び第２離間部２３ｂを纏めて、離間部２３ともいう。
注出筒１４及び突出ノズル部１１は、それぞれ離間部２３を有していなくても良いが、該離間部２３に、詰替え容器等の注入口部分を差込んで、内容物の注入作業をより容易に行う観点から、注出筒１４及び突出ノズル部１１の何れか一方が離間部２３を有していることが好ましく、これら双方が離間部２３を有していることがより好ましい。
注出具１は、内容物の注出操作時に、離間部２３が鉛直方向の上方に位置するように用いられる。
【００２２】
注出具１Ａは、図２に示すように、注出具１Ａを上から見た平面視において、注出筒１４及び突出ノズル部１１における各離間部２３ａ，２３ｂの開口位置が同じである。斯かる構成により、詰替え容器の注入口部分を、離間部２３を介して内側注出孔１０に差込めることができるため、注入作業がより容易となる。このように、第１離間部２３ａと、第２離間部２３ｂとは、注出具１Ａを上から見た平面視において重なる位置に配されていることが好ましい。また、第１離間部２３ａは、第２離間部２３ｂよりも広く開口していることが好ましい。
【００２３】
本実施形態の注出具１Ａにおいて、底壁部１９は、外筒部１７の下端部内周面から内側に張り出した帯板形状の部分となっている。注出具１Ａは、図２に示すように、底壁部１９に容器本体３１内に連通する底部連通孔２０を有しているが、本発明の注出具は、底壁部１９に底部連通孔２０を有していなくても良い。
内容物を被詰替え容器３内に注入させる際、内容物が第２凹部１３に回り込むことがある。そのような場合、底部連通孔２０を有していない注出具では、第２凹部１３に内容物が貯留される。貯留された内容物は、内容物を注出する際に排出される。
【００２４】
本実施形態の注出具１Ａは、図２に示すように、注出具１Ａを上から見た平面視において、注出筒１４及び突出ノズル部１１の離間部２３に沿った扇状の底部連通孔２０を有している。即ち、底壁部１９には、注出具１Ａを上から見た平面視において、離間部２３ａ，２３ｂと重なる位置に底部連通孔２０が設けられている。内容物の注入作業において、内容物が第２凹部１３に回り込む場合があるが、底部連通孔２０は、第２凹部１３に回り込んだ内容物を回収することができる。斯かる構成により、内容物の注入作業において、底部連通孔２０を介して、容器本体３１内に多量の内容物を流し込むことができる。また、突出ノズル部１１の内側注出孔１０を介して空気置換が行われるため、注入作業をより速やかに行うことができる。このように、注出具１Ａは、底壁部１９に、第２凹部１３内の内容物を容器本体３１内に回収可能な底部連通孔２０を有していることが好ましく、第１凹部１６及び第２凹部１３内の内容物を容器本体３１内に回収可能な底部連通孔２０を有していることがより好ましい。
【００２５】
底壁部１９は、図３に示すように、離間部２３側が低くなるように、離間部２３とは反対側の部分から、離間部２３側に向けて下方（容器本体３１側）に傾斜して設けられている。斯かる構成により、注入作業における容器本体３１内への内容物の流し込みや、上述した液戻しをより容易に行うことができる。このように、底壁部１９は底部連通孔２０に向かって下方（容器本体３１側）に傾斜していることが好ましい。
【００２６】
注出筒１４は、図１及び図３に示すように、突出ノズル部１１と対向する面に、突出ノズル部１１の内側注出孔１０における先端開口部１０ａの先端を挟むようにして、流路幅制御用のリブ１５が設けられている。斯かる構成により、内側注出孔１０の先端開口部１０ａから吐出された内容物の、流路幅を制御することができる。また、衣服等に付いた部分的な汚れにピンポイントで液体洗剤を塗布したい場合に、所望の部分へ容易に塗布することができる。このように、注出筒１４は、突出ノズル部１１と対向する面に、該注出筒１４の高さ方向に沿って延びる流路幅制御用のリブ１５を有していることが好ましい。
本実施形態の注出筒１４は、図２に示すように、突出ノズル部１１と対向する面に、突出ノズル部１１の先端部１１ｂを挟んだ３対のリブ１５を有している。被詰替え容器３を大きく傾けても、流路幅をより確実に狭める観点から、注出筒１４は、流路幅制御用のリブ１５を複数対有していることが好ましい。
【００２７】
注出筒１４は、図３及び４に示すように、外筒部１７の上縁部１７ｃよりも突出した突出部分１４ａを有しており、該注出筒１４の最も突出した部分である先端部１４ｃが外筒部１７の上縁部１７ｃよりも高い位置にある。斯かる構成により、外筒部１７よりも注出筒１４が突出することで計量キャップ４に注ぎやすく、注出筒１４から液だれしにくくなる。
注出筒１４の突出部分１４ａ、即ち先端部１４ｃと外筒部１７の上縁部１７ｃとの長さＨ１は、外筒部１７の外径Ｄ１７の１／２よりも短い（図２参照）。斯かる構成により、注出具１を介して内容物を容器本体３１に詰め替える際、詰替え容器のノズル部を外筒部１７内に容易に挿入することができる。注出筒１４の突出部分１４ａが外筒部１７の外径Ｄ１７の１／２よりも長いと、詰替え容器のノズル部を注出筒１４にあてがう際に、作業者に注出筒１４に沿って内容物を入れなければならないという印象を与え、心理的に詰め替え難いと感じさせる場合がある。このように、注出筒１４は、外筒部１７の上縁部１７ｃよりも突出しており、該上縁部１７ｃから突出した突出部分１４ａの高さが、外筒部１７の外径Ｄ１７の１／２よりも短いことが好ましい。尚、外筒部１７の外径Ｄ１７は、外筒部１７を上から見た平面視において、外筒部１７の外縁に両端を有する直線のうち、最も長い直線の長さを指す。
【００２８】
上記の効果をより確実に奏させる観点から、注出筒１４の突出部分１４ａの高さＨ１、即ち先端部１４ｃと外筒部１７の上縁部１７ｃとの長さＨ１（図３参照）は、外筒部１７の外径Ｄ１７に対して、好ましくは１０％以上、より好ましくは２０％以上であり、また好ましくは８０％以下、より好ましくは５０％以下であり、また好ましくは１０％以上８０％以下、より好ましくは２０％以上５０％以下である。
また、注出筒１４の突出部分１４ａの高さＨ１、即ち先端部１４ｃと外筒部１７の上縁部１７ｃとの長さＨ１（図３参照）は、好ましくは５ｍｍ以上、より好ましくは１０ｍｍ以上であり、また好ましくは２５ｍｍ以下、より好ましくは２０ｍｍ以下であり、また好ましくは５ｍｍ以上２５ｍｍ以下、より好ましくは１０ｍｍ以上２０ｍｍ以下である。
【００２９】
突出ノズル部１１は、底壁部１９から上向きに突出しているが、突出ノズル部１１は、図３に示すように、高さ方向における高さが注出筒１４に比して低い。詳細には、突出ノズル部１１の内側注出孔１０の先端開口部１０ａは、注出筒１４の突出部分１４ａの上縁部１４ｂより低い位置にある。斯かる構成により、内容物の注入作業において、詰替え容器が突出ノズル部１１に接触し難く、注入作業をより容易に行うことができる。
また、突出ノズル部１１は、図３に示すように、高さ方向における高さが外筒部１７に比して低い。斯かる構成により、外筒部１７を計量キャップ４の筒部４１に接触させることなく、該計量キャップ４に内容物をより安定して注ぎ入れることができる。
突出ノズル部１１の高さ方向における高さＨ２（図３参照）は、注出筒１４の高さ方向における高さＨ３（図３参照）に対して、好ましくは３０％以上、より好ましくは４０％以上であり、また好ましくは１００％以下、より好ましくは９０％以下であり、また好ましくは３０％以上１００％以下、より好ましくは４０％以上９０％以下である。
また、突出ノズル部１１の高さ方向における高さＨ２（図３参照）は、好ましくは１０ｍｍ以上、より好ましくは１２ｍｍ以上であり、また好ましくは５０ｍｍ以下、より好ましくは４０ｍｍ以下であり、また好ましくは１０ｍｍ以上５０ｍｍ以下、より好ましくは１２ｍｍ以上４０ｍｍ以下である。
尚、本実施形態では、底壁部１９が傾斜しているが、それに伴い、突出ノズル部１１及び注出筒１４の下端部も傾斜している。突出ノズル部１１の高さ方向における高さＨ２は全高であり、傾斜している突出ノズル部１１における最下端から、該突出ノズル部１１の最上端までの長さを指す。注出筒１４の高さ方向における高さＨ３は全高であり、傾斜している注出筒１４における最下端から、該注出筒１４の最上端までの長さを指す。
【００３０】
注出筒１４から計量キャップ４へ注ぎやすさ、及び被詰替え容器３への注入のしやすさの観点から、注出筒１４の外径は、外筒部１７の外径Ｄ１７の１／２以上であることが好ましい。
上記の効果をより確実に奏させる観点から、注出筒１４の外径（図２参照）は、外筒部１７の外径Ｄ１７の１／２に対して、好ましくは１１０％以上、より好ましくは１２０％以上であり、また好ましくは１９０％以下、より好ましくは１８０％以下であり、また好ましくは１１０％以上１９０％以下、より好ましくは１２０％以上１８０％以下である。
注出筒１４の外径Ｄ１４は、好ましくは１０ｍｍ以上、より好ましくは１５ｍｍ以上であり、また好ましくは４０ｍｍ以下、より好ましくは３５ｍｍ以下であり、また好ましくは１０ｍｍ以上４０ｍｍ以下、より好ましくは１５ｍｍ以上３５ｍｍ以下である。
【００３１】
容器内から内容物が一気に吐出されることを抑制するため、突出ノズル部１１は、内側注出孔１０から注出される内容物の流量又は流速を減少させる手段を有していることが好ましい。
例えば、本実施形態の突出ノズル部１１の内側注出孔１０は、内容物の流量を減少させる手段として、図６に示すように、先端開口部１０ａ側に、内側注出孔１０の高さ方向に直交する断面積が急激に減少した断面積減少部１１ｃを有している。即ち、本実施形態の突出ノズル部１１は、前記断面積が略一定の容器本体３１側部分（胴部１１ｅ）と、該容器本体３１側部分よりも先端開口部１０ａ側に位置し、且つ前記断面積が急激に窄まっている断面積減少部１１ｃとを有している。断面積減少部１１ｃにおいて、突出ノズル部１１の本体側開口部１０ｂから流入した内容物は、図６に示すように、内側注出孔１０の中心軸方向に沿う方向Ｆ１から先端開口部１０ａに向かう方向Ｆ２に向きを変えて流れる。斯かる構成により、中心軸方向に沿う方向Ｆ１に流れる内容物の流量を抑制して、多量の内容物が一気に吐出することをより抑制することができる。このように、突出ノズル部１１は、内容物の流量又は流速を減少させる手段として、内容物が内側注出孔１０の中心軸方向に沿う方向とは異なる方向に流れる部分を有していることが好ましい。尚、本実施形態において肩部１１ａが、断面積減少部１１ｃに相当する。
本実施形態の突出ノズル部１１は、内容物の流量又は流速を減少させる手段として、内側注出孔１０の高さ方向に直交する断面の面積が、容器本体３１側の開口部側から先端開口部１０ａ側に向かって減少しているが、前記断面の面積は急激に減少しても良く、連続的に減少していても良い。
【００３２】
本実施形態の注出具１Ａと組み合わせて用いられる計量キャップ４は、図１に示すように、内部に内容物を注入し、貯留することができる筒部４１と、筒部４１から外側に張り出して設けられた、内周面に雌ネジ突条４３ａを備える装着スカート部４３とを含んで構成されている。また、計量キャップ４の筒部４１は、注出具１Ａに固定される側とは反対側に底面を有しており、装着スカート部４３の上縁部から突出している。計量キャップ４は、装着スカート部４３の雌ネジ突条４３ａを外筒部１７の雄ネジ突条１７ｄに締着させて、注出具１Ａに固定することができる。このように、注出具は、該注出具に脱着自在に固定可能な計量キャップを備えていることが好ましい。
また、計量キャップ４の筒部４１は、図１に示すように、注出具１Ａへの固定時に外筒部１７と注出筒１４との間の第１凹部１６に挿入配置される。
【００３３】
本実施形態の被詰替え容器３は、筒部４１内に内容物を一旦貯留してから、洗濯機等の別の場所に内容物を出して使用する。計量キャップ４は、所望量の内容物を計りとる観点から、筒部４１の内周面又は外周面に、内容物の量を視覚的に判別できる目盛り等を有していることが好ましいが、該目盛りが無くても良い。目盛りが無い場合、内容物を筒部４１が満杯になるまで注いだ量が規定量となるように、筒部４１の容積を適宜設計することが好ましい。
【００３４】
注出具１Ａや計量キャップ４の製法は特に制限されないが、射出成形により形成されることが好ましい。また、注出具１Ａや計量キャップ４の材質は、例えばポリプロピレン、ポリエチレン等の合成樹脂のように射出成形可能な各種のものを用いることができる。
【００３５】
次に、本発明の第２実施形態の注出具１Ｂについて説明する。第２実施形態の注出具１Ｂについては、第１実施形態と異なる点について説明し、同様の点については説明を省略する。特に説明しない点については、第１実施形態の注出具１Ａと同様であり、同様の構成要素には同様の符号を付してある。
【００３６】
本発明の好ましい第２実施形態に係る注出具１Ｂを図７に示す。本第２実施形態の注出具１Ｂにおける突出ノズル部１１’は、上記第１実施形態の注出具１Ａと同様に、離間部２３ｂと内側注出孔１０とを有している。内容物は、容器本体３１内から主に内側注出孔１０を通じて吐出され〔図８（ｂ）中の流れＦ１〕、注出筒１４の内周面を介して注出具１Ｂ外へ注出される。
【００３７】
本実施形態における突出ノズル部１１’は、内側注出孔１０の近傍、より具体的には離間部２３ｂの両側にポケット部２４を有している〔図８（ａ）参照〕。ポケット部２４は、図８（ａ）に示すように、内側注出孔１０を挟むように形成されており、離間部２３ｂに面する離間部隣接面１１ｄにおいて開口している部分である。ポケット部２４は、図８（ｂ）に示すように、内容物の注出操作時に、鉛直方向の上側に向かって開口している。斯かる構成により、容器本体３１内から内容物を注出させる際、内側注出孔１０を介した流れＦ５以外に、容器本体３１から直接、ポケット部２４内に内容物が流れ込む〔図８（ｂ）中の流れＦ３〕。これにより、注出具１Ｂを大きく傾けて、ポケット部２４から内容物が溢れ出たとしても、その溢れ出た内容物は、内側注出孔１０から吐出される方向、即ち内側注出孔１０の中心軸方向とは異なる方向〔図８（ｂ）中の流れＦ４〕に流れ出るため、内容物が一気に吐出されることをより抑制することができる。このように、突出ノズル部１１’は、内容物の流量又は流速を減少させる手段として、内容物が、内側注出孔１０の中心軸方向に沿う方向とは異なる方向に流れる部分を有していることが好ましい。斯かる構成として、内側注出孔１０の近傍に、該突出ノズル部の高さ方向とは異なる方向に向かって開口するポケット部２４を有していることが好ましい。
本実施形態におけるポケット部２４は、容器本体３１側が容器本体３１内部と連通しているが、その連通部分が底壁部１９によって塞がれていても良い。
【００３８】
本発明は上記各実施形態に限定されることなく種々の変更が可能である。例えば、本実施形態では被詰替え容器３の容器本体に収容される内容物は液体洗剤であったが、内容物はこのような液体である他、粉体や粉粒体等の流動体であっても良い。また、本実施形態では、注出具の外周部分に、容器本体３１の口首部３１ａの外周部分に係着される係着スカート部１８が配設されていたが、このような係着スカート部１８に代えて、容器本体３１の口首部３１ａの上端面に当接配置される円環状のフランジ部を有していても良い。また、底壁部は、開放部側に向けて下方に傾斜している必要は必ずしも無い。また、注出具は、計量キャップ４と組み合わせて用いる必要は必ずしも無い。さらに、計量キャップ４の筒部４１は、図９に示すように、装着スカート部４３の上縁部から突出しておらず、該装着スカート部４３の上縁部と、筒部４１の底面が同じ一面を形成していてもよい。また、本発明の注出具又は容器は、円盤状の天面部及び該天面部の外周部に連設された装着スカート部のみからなるキャップを備えていても良い。外筒部１７は、容器本体３１の口首部３１ａに係着される係着スカート部１８を有するか、口首部３１ａの内面に沿って配される下方部１７ｂを有するか、それらの両方を有することが好ましい。注出具１は、係着スカート部１８において、脱着不能に容器本体３１に固定されていても良いし、任意の方法により脱着可能に固定されていても良い。例えば、係着スカート部１８は螺合、嵌合等により、口首部３１ａに脱着可能又は脱着不能に固定されていても良い。
【符号の説明】
【００３９】
１Ａ，１Ｂ  注出具
１０  内側注出孔
１０ａ  先端開口部
１０ｂ  本体側開口部
１１  突出ノズル部
１１ａ  肩部
１１ｂ  先端部
１１ｃ  断面積減少部
１１ｄ  離間部隣接面
１１ｅ  胴部
１１ｆ  首部
１３  第２凹部
１４  注出筒
１４ａ  突出部分
１４ｂ  上縁部
１４ｃ  先端部
１４ｄ  下端部
１５  リブ
１６  第１凹部
１７  外筒部
１７ｃ  上縁部
１８  係着スカート部
１８ａ  肩板部
１９  底壁部
２０  底部連通孔
２３，２３ａ，２３ｂ  離間部
２４  ポケット部
３  被詰替え容器
３１  容器本体
３１ａ  口首部
４  計量キャップ
４１  筒部
４３  装着スカート部
【図１】
2018188175.tif 000003
【図２】
2018188175.tif 000004
【図３】
2018188175.tif 000005
【図４】
2018188175.tif 000006
【図５】
2018188175.tif 000007
【図６】
2018188175.tif 000008
【図７】
2018188175.tif 000009
【図８】
2018188175.tif 000010
【図９】
2018188175.tif 000011